(57)【要約】【課題】従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供する。【解決手段】複数の輪形状の伸縮自在なベルト部材１２と、複数のベルト部材１２同士を、脱着自在に連結する中間係止部材１４と、中間係止部材１４で連結されたベルト部材１２の一方の端部に、脱着自在に連結される第１の係止部材２０と、中間係止部材１４で連結されたベルト部材１２の他方の端部に、脱着自在に連結される第２の係止部材３８とを備え、第１の係止部材２０と第２の係止部材３８とを係止することによって、輪形状になるように構成した。【選択図】図１
2020028460.tif 000002
【特許請求の範囲】
【請求項１】
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したことを特徴とするトレーニング用ベルト。
【請求項２】
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記第１の係止穴には、前記複数のベルト部材の一方の端部のベルト部材を脱着自在に挿入係合するための第１のスリットが形成され、
前記係止バー本体と第２の係止バー部材とに囲まれた部分に、第２の係止穴が形成され、
前記第２の係止穴には、前記複数のベルト部材の他方の端部のベルト部材を脱着自在に挿入係合するための第２のスリットが形成されていることを特徴とする請求項１に記載のトレーニング用ベルト。
【請求項３】
前記第１の係止バー部材の長さと、前記第２の係止バー部材の長さが相違するように形成されていることを特徴とする請求項２に記載のトレーニング用ベルト。
【請求項４】
前記第１の係止部材が、バックル型のバックル型係止部材から構成され、
前記バックル型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、ベルト形状のベルト型係止部材から構成され、
前記ベルト型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記バックル型係止部材とベルト型係止部材とを係止することによって、輪形状になるように構成したことを特徴とする請求項１から３のいずれかに記載のトレーニング用ベルト。
【請求項５】
前記第１の係止部材の前記バックル型係止部材の表面には、裏表を確認できる確認部が形成されていることを特徴とする請求項４に記載のトレーニング用ベルト。
【請求項６】
前記第２の係止部材のベルト型係止部材には、凹凸が形成されていることを特徴とする請求項４から５のいずれかに記載のトレーニング用ベルト。
【請求項７】
前記第１の係止部材が、スナップフィット型の雌形状係止部材から構成され、
前記雌形状係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、前記雌形状係止部材に対応するスナップフィット型の雄形状係止部材から構成され、
前記雄形状係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記雌形状係止部材と雄形状係止部材とを係止することによって、輪形状になるように構成したことを特徴とする請求項１から３のいずれかに記載のトレーニング用ベルト。
【請求項８】
前記第１の係止部材が、開閉可能なリング型の第１のリング型係止部材から構成され、
前記雌形状係止部材のベルト部材側には、ベルト部材を脱着自在に挿入係止する第１の挿入係合部材が備えられ、
前記第１のリング型係止部材には、ベルト部材を脱着自在に挿入係止するためのスリットを備えた第１のベルト係合穴が形成され、
前記第２の係止部材が、開閉可能なリング型の第２のリング型係止部材から構成され、
前記第２のリング型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記第１のリング型係止部材と第２のリング型係止部材とを係止することによって、輪形状になるように構成したことを特徴とする請求項１から３のいずれかに記載のトレーニング用ベルト。
【請求項９】
前記第１の係止部材の第１の挿入係合部材が、前記中間係止部材から構成されていることを特徴とする請求項４から８のいずれかに記載のトレーニング用ベルト。
【請求項１０】
前記第２の係止部材の第２の挿入係合部材が、前記中間係止部材から構成されていることを特徴とする請求項４から９のいずれかに記載のトレーニング用ベルト。
【発明の詳細な説明】
【技術分野】
【０００１】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニング（以下、単に「トレーニング」と言う）に使用する、例えば、ゴムなどの伸縮自在なベルトから構成されるトレーニング用ベルトに関する。
【背景技術】
【０００２】
従来より、このような種々のトレーニングを行うためトレーニング用具として、例えば、エキササイズゴムバンド、ループバンド、トレーニングチューブなどが用いられている。
【０００３】
このようなトレーニング用具として、従来より、例えば、ゴムなどから構成される伸縮性を有する伸縮部材を用いた、いわゆる「エキスパンダー」として、輪形状（ループ形状）ループバンドが用いられている。
【０００４】
このようなループバンドでは、ループバンドの長さが一定であるので、例えば、使用目的、使用部位、トレーニング方法、トレーニング強度、ループの強さ（負荷）など応じて、様々な長さのループバンドを準備しなければならず、コストが高くつくとともに、ループバンドを選択して、トレーニングを行う必要があるため、煩雑で面倒である。
【０００５】
このため、特許文献１（特開２０１７−１８２４３号公報）では、様々な長さのループバンドを準備する必要がなく、任意の長さのループバンドとして使用可能なトレーニングツールが開示されている。
【０００６】
すなわち、図２０は、特許文献１に示されているトレーニングツールの斜視図である。
【０００７】
図２０に示したように、特許文献１に示されているトレーニングツール１００は、第１の伸縮性部材１０２と、第１の伸縮性部材１０２よりも長手方向に長い第２の伸縮性部材１０４からなるループ１０６を、接合部１０８を介して、複数連接して構成されている。
【０００８】
そして、例えば、左右の手をループ１０６に挿入して持つ箇所（位置）を、種々変えることで、トレーニングツール１００の長さを変更し、トレーニング中に掛かる負荷の強さなどを調整することができるように構成されている。
【先行技術文献】
【特許文献】
【０００９】
【特許文献１】特開２０１７−１８２４３号公報
【発明の概要】
【発明が解決しようとする課題】
【００１０】
しかしながら、特許文献１に記載のトレーニングツール１００では、第１の伸縮性部材１０２と、第１の伸縮性部材１０２よりも長手方向に長い第２の伸縮性部材１０４からなる複数のループ１０６を、予め接合部１０８を介して製造しなければならず、複雑な構成でコストが高くつくことになる。
【００１１】
また、従来の一般的に販売されているループバンドを利用することは不可能であって、とトレーニングする者にとって、経済的にも、また、持ち運びなど、負担を強いることにもなる。
【００１２】
さらに、特許文献１に記載のトレーニングツール１００では、例えば、例えば、左右の手をループ１０６に挿入して持つ箇所（位置）によっては、両端部分に余った部分が生じて、トレーニングの邪魔になったり、周辺や体の他の部位に絡まったりして、問題が生じるおそれもある。
【００１３】
また、従来のループバンドを、例えば、足の運動、膝の運動などのトレーニングに使用する際には、椅子に座ったり、屈んだ状態で、ループ内に両足を入れて使用しなければならず、不便であるとともに、ある程度広い場所が必要である。
【００１４】
このため、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングには不向きであった。
【００１５】
本発明は、このような現状に鑑み、従来の一般的に販売されているループバンドを利用することが可能で、複数のループバンドを簡単な構造で、しかも容易に任意の長さに連結でき、コストも手間も低減でき、持ち運びにも便利なトレーニング用ベルトを提供することを目的とする。
【００１６】
また、本発明は、例えば、使用目的、使用部位、トレーニング方法、トレーニング強度、ループの強さ（負荷）など応じて、様々な長さのループバンドとして、簡単に使用可能なトレーニング用ベルトを提供することを目的とする。
【００１７】
また、本発明は、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することを目的とする。
【００１８】
また、本発明は、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することを目的とする。
【課題を解決するための手段】
【００１９】
本発明は、前述したような従来技術における課題及び目的を達成するために発明されたものであって、本発明のトレーニング用ベルトは、
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したことを特徴とする。
【００２０】
このように構成することによって、複数の輪形状の伸縮自在なベルト部材同士を、中間係止部材を介して、脱着自在に連結するようになっている。
【００２１】
そして、中間係止部材で連結されたベルト部材の一方の端部に、第１の係止部材が脱着自在に連結される。
【００２２】
また、中間係止部材で連結されたベルト部材の他方の端部に、第２の係止部材が、脱着自在に連結される。
【００２３】
この状態で、第１の係止部材と第２の係止部材とを係止することによって、輪形状になるように構成されている。
【００２４】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【００２５】
また、例えば、使用目的、使用部位、トレーニング方法、トレーニング強度、ループの強さ（負荷）など応じて、様々な長さのループバンドとして、簡単に使用可能なトレーニング用ベルトを提供することができる。
【００２６】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００２７】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００２８】
また、本発明のトレーニング用ベルトは、
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記第１の係止穴には、前記複数のベルト部材の一方の端部のベルト部材を脱着自在に挿入係合するための第１のスリットが形成され、
前記係止バー本体と第２の係止バー部材とに囲まれた部分に、第２の係止穴が形成され、
前記第２の係止穴には、前記複数のベルト部材の他方の端部のベルト部材を脱着自在に挿入係合するための第２のスリットが形成されていることを特徴とする。
【００２９】
このように構成することによって、係止バー本体と第１の係止バー部材とに囲まれた部分に形成された第１の係止穴に、第１のスリットを介して、複数のベルト部材の一方の端部のベルト部材を脱着自在に挿入係合することができる。
【００３０】
そして、係止バー本体と第２の係止バー部材とに囲まれた部分に形成された第２の係止穴に、第２のスリットを介して、複数のベルト部材の他方の端部のベルト部材を脱着自在に挿入係合することができる。
【００３１】
このようにして、複数のベルト部材同士を、簡単容易に、脱着自在に連結することができる。
【００３２】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【００３３】
また、本発明のトレーニング用ベルトは、前記第１の係止バー部材の長さと、前記第２の係止バー部材の長さが相違するように形成されていることを特徴とする。
【００３４】
このように構成することによって、幅の寸法の異なる複数のベルト部材を、偏らないように連結することができ、便利である。
【００３５】
また、本発明のトレーニング用ベルトは、
前記第１の係止部材が、バックル型のバックル型係止部材から構成され、
前記バックル型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、ベルト形状のベルト型係止部材から構成され、
前記ベルト型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記バックル型係止部材とベルト型係止部材とを係止することによって、輪形状になるように構成したことを特徴とする。
【００３６】
このように構成することによって、バックル型係止部材のベルト部材側に備えられた、第１の挿入係合部材のスリットを介して、第１の挿入係合部材の第１のベルト係合穴に、ベルト部材を脱着自在に挿入係止することができる。
【００３７】
また、ベルト形状のベルト型係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００３８】
この状態で、バックル型係止部材とベルト型係止部材とを係止することによって、輪形状になるように構成されている。
【００３９】
従って、バックル型係止部材とベルト型係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００４０】
さらに、バックル型係止部材とベルト型係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００４１】
また、バックル型係止部材とベルト型係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００４２】
また、本発明のトレーニング用ベルトは、前記第１の係止部材の前記バックル型係止部材の表面には、裏表を確認できる確認部が形成されていることを特徴とする。
【００４３】
このように構成することによって、例えば、シールを貼着したり、点字、凹凸などのマーク、色分けなどの表示から構成される確認部を、第１の係止部材のバックル型係止部材の表面に形成することによって、裏表を確認でき、裏表を間違って装着するのを防止することができる。
【００４４】
また、本発明のトレーニング用ベルトは、前記第２の係止部材のベルト型係止部材には、凹凸が形成されていることを特徴とする。
【００４５】
このように構成することによって、第２の係止部材のベルト型係止部材に形成された凹凸によって、例えば、ベルト型係止部材の余った部分を切断する位置が把握できるとともに、この凹凸によって、バックル型係止部材の表面に形成することによって、裏表を確認でき、間違って装着するのを防止することができる。
【００４６】
また、本発明のトレーニング用ベルトは、
前記第１の係止部材が、スナップフィット型の雌形状係止部材から構成され、
前記雌形状係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、前記雌形状係止部材に対応するスナップフィット型の雄形状係止部材から構成され、
前記雄形状係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記雌形状係止部材と雄形状係止部材とを係止することによって、輪形状になるように構成したことを特徴とする。
【００４７】
このように構成することによって、スナップフィット型の雌形状係止部材のベルト部材側に備えられた、第１の挿入係合部材のスリットを介して、第１の挿入係合部材の第１のベルト係合穴に、ベルト部材を脱着自在に挿入係止することができる。
【００４８】
また、スナップフィット型の雄形状係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００４９】
この状態で、スナップフィット型の雌形状係止部材と雄形状係止部材とを係止することによって、輪形状になるように構成されている。
【００５０】
従って、スナップフィット型の雌形状係止部材と雄形状係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００５１】
さらに、スナップフィット型の雌形状係止部材と雄形状係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００５２】
また、スナップフィット型の雌形状係止部材と雄形状係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００５３】
また、本発明のトレーニング用ベルトは、
前記第１の係止部材が、開閉可能なリング型の第１のリング型係止部材から構成され、
前記雌形状係止部材のベルト部材側には、ベルト部材を脱着自在に挿入係止する第１の挿入係合部材が備えられ、
前記第１のリング型係止部材には、ベルト部材を脱着自在に挿入係止するためのスリットを備えた第１のベルト係合穴が形成され、
前記第２の係止部材が、開閉可能なリング型の第２のリング型係止部材から構成され、
前記第２のリング型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記第１のリング型係止部材と第２のリング型係止部材とを係止することによって、輪形状になるように構成したことを特徴とする。
【００５４】
このように構成することによって、開閉可能なリング型の第１のリング型係止部材のベルト部材側に備えられた、第１の挿入係合部材のスリットを介して、第１の挿入係合部材の第１のベルト係合穴に、ベルト部材を脱着自在に挿入係止することができる。
【００５５】
また、開閉可能なリング型の第２のリング型係止部材のベルト部材側に備えられた、第２の挿入係合部材のスリットを介して、ベルト部材を第２の挿入係合部材の第２のベルト係合穴に、ベルト部材を脱着自在に挿入係止することができる。
【００５６】
この状態で、開閉可能なリング型の第１のリング型係止部材と第２のリング型係止部材とを係止することによって、輪形状になるように構成されている。
【００５７】
従って、開閉可能なリング型の第１のリング型係止部材と第２のリング型係止部材との係止位置を調整することによって、例えば、使用目的、使用部位、トレーニング方法、トレーニング強度、ループの強さ（負荷）など応じて、様々な長さのループバンドとして、簡単に使用可能なトレーニング用ベルトを提供することができる。
【００５８】
さらに、開閉可能なリング型の第１のリング型係止部材と第２のリング型係止部材との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００５９】
また、開閉可能なリング型の第１のリング型係止部材と第２のリング型係止部材との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【００６０】
また、本発明のトレーニング用ベルトは、前記第１の係止部材の第１の挿入係合部材が、前記中間係止部材から構成されていることを特徴とする。
【００６１】
このように、第１の係止部材の第１の挿入係合部材が、中間係止部材から構成されていても良い。
【００６２】
これにより、中間係止部材を、第１の係止部材の第１の挿入係合部材としても使用できるので、部品点数が少なくなりコストと手間も低減できる。
【００６３】
また、本発明のトレーニング用ベルトは、前記第２の係止部材の第２の挿入係合部材が、前記中間係止部材から構成されていることを特徴とする。
【００６４】
このように、第２の係止部材の第２の挿入係合部材が、中間係止部材から構成されていても良い。
【００６５】
これにより、中間係止部材を、第２の係止部材の第２の挿入係合部材としても使用できるので、部品点数が少なくなりコストと手間も低減できる。
【発明の効果】
【００６６】
本発明によれば、複数の輪形状の伸縮自在なベルト部材同士を、中間係止部材を介して、脱着自在に連結するようになっている。
【００６７】
そして、中間係止部材で連結されたベルト部材の一方の端部に、第１の係止部材が脱着自在に連結される。
【００６８】
また、中間係止部材で連結されたベルト部材の他方の端部に、第２の係止部材が、脱着自在に連結される。
【００６９】
この状態で、第１の係止部材と第２の係止部材とを係止することによって、輪形状になるように構成されている。
【００７０】
従って、従来の一般的に販売されているループバンドを、ベルト部材として利用することが可能で、複数のループバンド（ベルト部材）を簡単な構造で、しかも容易に任意の長さに脱着自在に連結でき、コストも手間も低減でき、持ち運びにも便利なトレーニング用ベルトを提供することができる。
【００７１】
また、例えば、使用目的、使用部位、トレーニング方法、トレーニング強度、ループの強さ（負荷）など応じて、様々な長さのループバンドとして、簡単に使用可能なトレーニング用ベルトを提供することができる。
【００７２】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【００７３】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルトを提供することができる。
【図面の簡単な説明】
【００７４】
【図１】図１は、本発明のトレーニング用ベルト１０の概略を模式的に示す分解斜視図である。
【図２】図２は、図１のトレーニング用ベルト１０の分解上面図である。
【図３】図３は、図１のトレーニング用ベルト１０の第１の係止部材２０であるバックル型係止部材２２を示す部分拡大断面図である。
【図４】図４は、図１のトレーニング用ベルト１０を組み立てて、トレーニングのために、ゴムまりＣを両足Ｄの間に挟んだ状態を説明する断面図である。
【図５】図５は、図１のトレーニング用ベルト１０の中間係止部材１４の別の実施例を示す上面図である。
【図６】図６は、本発明のトレーニング用ベルト１０のベルト型係止部材４０の別の実施例を示す斜視図である。
【図７】図７は、本発明のトレーニング用ベルト１０のトレーニングの概略を模式的に示す概略図である。
【図８】図８は、本発明のトレーニング用ベルト１０のトレーニングの概略を模式的に示す概略図である。
【図９】図９は、本発明のトレーニング用ベルト１０のトレーニングの概略を模式的に示す概略図である。
【図１０】図１０は、本発明のトレーニング用ベルト１０のトレーニングの概略を模式的に示す概略図である。
【図１１】図１１は、本発明のトレーニング用ベルト１０のトレーニングの概略を模式的に示す概略図である。
【図１２】図１２は、本発明のトレーニング用ベルト１０のトレーニングの概略を模式的に示す概略図である。
【図１３】図１３は、本発明のトレーニング用ベルト１０のトレーニングの概略を模式的に示す概略図である。
【図１４】図１４は、図１のトレーニング用ベルト１０の第１の係止部材２０であるバックル型係止部材２２の別の実施例を示す部分拡大断面図である。
【図１５】図１５は、本発明のトレーニング用ベルト１０の別の実施例の部分分解上面図である。
【図１６】図１６は、本発明のトレーニング用ベルト１０の別の実施例の雄形状係止部材５６の上面図である。
【図１７】図１７は、本発明のトレーニング用ベルト１０の別の実施例の部分分解上面図である。
【図１８】図１８は、図１８は、本発明のトレーニング用ベルト１０の別の実施例の部分分解上面図である。
【図１９】図１９は、本発明のトレーニング用ベルト１０の別の実施例の部分分解上面図である。
【図２０】図２０は、特許文献１に示されているトレーニングツールの斜視図である。
【発明を実施するための形態】
【００７５】
以下、本発明の実施の形態（実施例）を図面に基づいてより詳細に説明する。
（実施例１）
【００７６】
図１は、本発明のトレーニング用ベルト１０の概略を模式的に示す分解斜視図、図２は、図１のトレーニング用ベルト１０の分解上面図、図３は、図１のトレーニング用ベルト１０の第１の係止部材２０であるバックル型係止部材２２を示す部分拡大断面図、図４は、図１のトレーニング用ベルト１０を組み立てて、トレーニングのために、ゴムまりＣを両足Ｄの間に挟んだ状態を説明する断面図、図５は、図１のトレーニング用ベルト１０の中間係止部材１４の別の実施例を示す上面図、図６は、本発明のトレーニング用ベルト１０のベルト型係止部材４０の別の実施例を示す斜視図、図７〜図１３は、本発明のトレーニング用ベルト１０のトレーニングの概略を模式的に示す概略図、図１４は、図１のトレーニング用ベルト１０の第１の係止部材２０であるバックル型係止部材２２の別の実施例を示す部分拡大断面図である。
【００７７】
図１〜図４において、符号１０は、全体で本発明のトレーニング用ベルト１０を示している。
【００７８】
本発明のトレーニング用ベルト１０は、例えば、ゴムなどの伸縮自在なベルトから構成されるトレーニング用ベルトである。
【００７９】
具体的には、本発明のトレーニング用ベルト１０は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルト１０である。
【００８０】
図１〜図４に示したように、複数の（この実施例では、２つの）、例えば、ゴムなどの伸縮自在な輪形状のベルト部材１２（この実施例では、第１のベルト部材１２ａ、第２のベルト部材１２ｂ）を備えている。
【００８１】
なお、この伸縮自在なベルト部材１２の、長さ（周長）、数などは、例えば、トーレニングする部位、トレーニング方法、被トレーニング者の体格などに応じて、適宜変更することが可能である。また、ベルト部材１２を、例えば、二重、三重にするなどその強さを変更することはもちろん可能である。
さらに、複数種類の負荷の相違するベルト部材１２を複数種類重ねて、運動の負荷を自由に調整することも可能である。
【００８２】
また、これらのベルト部材１２（第１のベルト部材１２ａ、第２のベルト部材１２ｂ）同士を、脱着自在に連結する中間係止部材１４を備えている。
【００８３】
図１〜図３に示したように、中間係止部材１４は、中間係止部材１４の中央部分に形成された係止バー本体１４ａを備えている。そして、係止バー本体１４ａの両端から、延設部１４ｂを介して、一定間隔離間するようにそれぞれ延設された、第１の係止バー部材１４ｃと第２の係止バー部材１４ｄを備えている。
【００８４】
また、係止バー本体１４ａと第１の係止バー部材１４ｃとに囲まれた部分に、第１の係止穴１６ａが形成されている。そして、第１の係止穴１６ａには、複数のベルト部材１２の一方の端部の第１のベルト部材１２ａを脱着自在に挿入係合するための第１のスリット１８ａが形成されている。
【００８５】
一方、係止バー本体１４ａと第２の係止バー部材１４ｄとに囲まれた部分に、第２の係止穴１６ｂが形成されている。そして、第２の係止穴１６ｂには、複数のベルト部材１２の他方の端部の第２のベルト部材１２ｂを脱着自在に挿入係合するための第２のスリット１８ｂが形成されている。
【００８６】
このように構成することによって、図１の矢印で示したように、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【００８７】
そして、図１の矢印で示したように、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【００８８】
このようにして、複数のベルト部材１２同士（この実施例では、第１のベルト部材１２ａ、第２のベルト部材１２ｂ）を、簡単容易に、脱着自在に連結することができる。
【００８９】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【００９０】
なお、この実施例では、図１〜図３に示したように、中間係止部材１４の第１の係止バー部材１４ｃの長さと、第２の係止バー部材１４ｄの長さが、同一の長さになるように構成している。
【００９１】
しかしながら、図５（Ａ）に示したように、第１の係止バー部材１４ｃの長さと、第２の係止バー部材１４ｄの長さが相違するように構成することも可能である。
【００９２】
このように構成することによって、幅の寸法の異なる複数のベルト部材１２を、偏らないように連結することができ、便利である。
【００９３】
また、この実施例では、図１〜図３に示したように、中間係止部材１４の第１の係止バー部材１４ｃに形成された第１のスリット１８ａと、第２の係止バー部材１４ｄに形成された第２のスリット１８ｂの形成位置を、中央の位置に形成した。
【００９４】
しかしながら、例えば、図５（Ｂ）に示したように、第１のスリット１８ａと、第２のスリット１８ｂの形成位置を、偏らせた位置に形成するなど、適宜変更することができる。
【００９５】
また、図５（Ｃ）に示したように、中間係止部材１４の裏面に、被服、布製の座部、背もたれを備えた椅子などに脱着自在な、係止面、例えば、マジックテープ（登録商標）（Magic Tape）、ベルクロ（登録商標）（Velcro）などの面ファスナー１１を貼着することも可能である。
【００９６】
これにより、本発明のトレーニング用ベルト１０を、例えば、被服、椅子などに脱着自在に位置固定ができ、トレーニングの際に便利である。
【００９７】
さらに、中間係止部材１４で連結されたベルト部材１２の一方の端部（第１のベルト部材１２ａの一方の端部１２ｃ）に、脱着自在に連結される第１の係止部材２０を備えている。
【００９８】
図１〜図４に示したように、この実施例では、第１の係止部材２０が、バックル型のバックル型係止部材２２から構成されている。
【００９９】
このバックル型係止部材２２は、服飾のベルトに用いられている従来公知のバックル型係止部材を用いることができるものであって、特に限定されるものではない。
【０１００】
この実施例では、例えば、図３のバックル型係止部材２２の部分拡大断面図で示したような構造のものを使用している。
【０１０１】
具体的には、バックル型係止部材２２は、バックル本体２４と、このバックル本体２４の一端に形成されたヒンジ２６を介して、図３の矢印Ａ方向に、バックル本体２４に対して開閉可能なバックル開閉部材２８を備えている従来のバックル構造である。
【０１０２】
また、図３に示したように、バックル型係止部材２２には、バックル本体２４の上面に、一定間隔離間して上方に突出するように形成された複数の（この実施例の場合には、２つの）幅方向に延びる第１の突設係止部３０ａ、３０ｂが形成されている。
【０１０３】
そして、バックル開閉部材２８の下面には、これらの第１の突設係止部３０ａ、３０ｂに対応して、複数の（この実施例の場合には、２つの）幅方向に延び、これらの第１の突設係止部３０ａ、３０ｂとは、位置がずれるように下方に突出形成された第２の突設係止部３２ａ、３２ｂが形成されている。
【０１０４】
これにより、図３の矢印Ａ方向に、バックル本体２４に対して、バックル開閉部材２８を閉じた際に、図３の矢印Ｂ方向に、バックル型係止部材２２内に、後述する第２の係止部材３８を構成するベルト形状のベルト型係止部材４０を挿着した際に、ベルト型係止部材４０が、これらの第１の突設係止部３０ａ、３０ｂ、第２の突設係止部３２ａ、３２ｂとの間に挟持され、しっかりとトレーニング用ベルト１０の長さ位置を調節保持することができるように構成されている。
【０１０５】
バックル型係止部材２２のベルト部材１２側（第１のベルト部材１２ａの一方の端部１２ｃ側）には、ベルト部材１２ａを脱着自在に挿入係止する第１の挿入係合部材３４が備えられている。
【０１０６】
そして、第１の挿入係合部材３４には、ベルト部材１２ａを脱着自在に挿入係止するためのスリット３４ａを備えた第１のベルト係合穴３６が形成されている。
【０１０７】
このように構成することによって、バックル型係止部材２２のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１０８】
なお、この場合、バックル型係止部材２２の第１の挿入係合部材３４としては、図示しないが、例えば、前述した中間係止部材１４を用いることが可能である。これにより、部品点数を低減できるので、コストを低減でき、かつ、汎用性に優れる。
【０１０９】
また、第１の挿入係合部材３４は、図１に示したように、例えば、一体成型によって、バックル型係止部材２２のベルト部材１２側に一体的に設けることができる。しかしながら、第１の挿入係合部材３４は、バックル型係止部材２２のベルト部材１２側に、図示しないが、脱着自在な構成とすることももちろん可能である。
【０１１０】
さらに、図１〜図２に示したように、第１の係止部材２０のバックル型係止部材２２の表面には、裏表を確認できる確認部２２ａが形成されているのが望ましい。この実施例では、確認部２２ａとして、傘のマークが設けられている。
【０１１１】
このように構成することによって、図示しないが、例えば、シールを貼着したり、点字、凹凸などのマーク、色分けなどの表示から構成される確認部２２ａを、第１の係止部材２０のバックル型係止部材２２の表面に形成することによって、裏表を確認でき、裏表を間違って装着するのを防止することができる。
【０１１２】
なお、このように第１の突設係止部３０ａ、３０ｂ、第２の突設係止部３２ａ、３２ｂを設ける代わりに、図１４に示したように、バックル開閉部材２８の端部に、突設係止部２８ａのみを設けた構造とすることも可能である。
【０１１３】
一方、中間係止部材１４で連結されたベルト部材１２の他方の端部（第２のベルト部材１２ｂの他方の端部１２ｄ）に、脱着自在に連結される第２の係止部材３８を備えている。
【０１１４】
図１〜図４に示したように、この実施例では、第２の係止部材３８は、服飾のベルトに用いられている従来公知のベルト形状のベルト型係止部材４０を用いることができるものであって、特に限定されるものではない。
【０１１５】
そして、ベルト型係止部材４０のベルト部材１２側（第２のベルト部材１２ｂの他方の端部１２ｄ側）には、ベルト部材１２ｂを脱着自在に挿入係止する第２の挿入係合部材４２が備えられている。
【０１１６】
そして、第２の挿入係合部材４２には、ベルト部材１２を脱着自在に挿入係止するためのスリット４２ａを備えた第２のベルト係合穴４４が形成されている。
【０１１７】
これにより、ベルト形状のベルト型係止部材４０のベルト部材１２側に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１１８】
なお、この場合、ベルト型係止部材４０の第２の挿入係合部材４２としては、図１に示したように、例えば、前述した中間係止部材１４を用いることが可能である。これにより、部品点数を低減できるので、コストを低減でき、かつ、汎用性に優れる。
【０１１９】
また、図１〜図２に示したように、このベルト形状のベルト型係止部材４０には、一定間隔離間して、凹凸４０ａが形成されているのが望ましい。
【０１２０】
このように構成することによって、第２の係止部材３８のベルト型係止部材４０に形成された凹凸４０ａによって、例えば、ベルト型係止部材４０の余った部分を切断する位置が把握できるとともに、この凹凸４０ａによって、バックル型係止部材の表面に形成することによって、裏表を確認でき、裏表を間違って装着するのを防止することができる。
【０１２１】
なお、この実施例の場合には、略円形形状の凹凸４０ａを形成したが、その形状、数、配置位置などは、適宜変更可能である。
【０１２２】
また、図６（Ａ）、図６（Ｂ）に示したように、ベルト型係止部材４０の長手方向に沿って延びる少なくとも１つの凹凸４０ｂとすることも可能である。
【０１２３】
このように構成される本発明のトレーニング用ベルト１０によれば、図１の矢印で示したように、複数の輪形状の伸縮自在なベルト部材１２（この実施例の場合には、第１のベルト部材１２ａ、第２のベルト部材１２ｂ）同士を、中間係止部材１４を介して、脱着自在に連結するようになっている。
【０１２４】
すなわち、係止バー本体１４ａと第１の係止バー部材１４ｃとに囲まれた部分に形成された第１の係止穴１６ａに、第１のスリット１８ａを介して、複数のベルト部材１２の一方の端部のベルト部材１２ａを脱着自在に挿入係合することができる。
【０１２５】
そして、係止バー本体１４ａと第２の係止バー部材１４ｄとに囲まれた部分に形成された第２の係止穴１６ｂに、第２のスリット１８ｂを介して、複数のベルト部材１２の他方の端部のベルト部材１２ｂを脱着自在に挿入係合することができる。
【０１２６】
このようにして、複数のベルト部材１２同士（この実施例では、第１のベルト部材１２ａ、第２のベルト部材１２ｂ）を、簡単容易に、脱着自在に連結することができる。
【０１２７】
そして、中間係止部材１４で連結されたベルト部材１２の一方の端部（第１のベルト部材１２ａの一方の端部１２ｃ側）に、第１の係止部材２０が脱着自在に連結される。
【０１２８】
また、中間係止部材１４で連結されたベルト部材１２の他方の端部（第２のベルト部材１２ｂの他方の端部１２ｄ）に、第２の係止部材３８が、脱着自在に連結される。
【０１２９】
すなわち、バックル型係止部材２２のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１３０】
また、ベルト型係止部材４０のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１３１】
この状態で、第１の係止部材２０であるバックル型係止部材２２と、第２の係止部材３８であるベルト型係止部材４０とを、図３〜図４の矢印Ａ、Ｂで示したように、係止することによって、輪形状になるように構成されている。
【０１３２】
従って、従来の一般的に販売されているループバンドを、ベルト部材１２として利用することが可能で、複数のループバンド（ベルト部材１２）を簡単な構造で、しかも容易に任意の長さに脱着自在に連結でき、コストも手間も低減でき、持ち運びにも便利なトレーニング用ベルト１０を提供することができる。
【０１３３】
また、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０１３４】
さらに、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルトを提供することができる。
【０１３５】
また、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０１３６】
このように構成される本発明のトレーニング用ベルト１０は、例えば、図４に示したように、トレーニング用ベルト１０を組み立てて、トレーニングのために、ゴムまりＣを両足Ｄ（例えば、太もも）の間に挟んだ状態で、トレーニングすることができる。
【０１３７】
すなわち、図４の矢印Ｅで示した方向に、足Ｄを外に開く方向に負荷かけたり、図４の矢印Ｆで示した方向に、ゴムまりＣを圧縮することによって、負荷かけたりすることによって、足全体のトレーニングに供することができる。
【０１３８】
このようなトレーニングの他、図７〜図１３に示したような、以下のようなトレーニング方法に用いることができる。
【０１３９】
なお、トレーニング方法としては、何らこれに限定されるものではなく、種々のトレーニング方法に適用することが可能である。
【０１４０】
例えば、図７に示したように、いわゆる「二の腕シェイプ」、すなわち、片方のトレーニング用ベルト１０の一端を足で踏み、肘を支点として、腕を後方へ持ち上げて伸ばし、ゆっくり戻すトレーニングに適用できる。
【０１４１】
また、図８に示したように、いわゆる「お腹回りシェイプ」、すなわち、片方のトレーニング用ベルト１０の一端を足で踏み、上半身を横方向に傾けて、伸ばし、ゆっくり戻すトレーニングに適用できる。
【０１４２】
また、図９に示したように、いわゆる「椅子を用いた足部シェイプ」、すなわち、椅子に座った状態で、片足を曲げて、片方のトレーニング用ベルト１０の一端を足の裏側に掛けて、ゆっくり戻すトレーニングに適用できる。
【０１４３】
また、図１０に示したように、いわゆる「足部シェイプ」、すなわち、体を横たえた状態で、両足にトレーニング用ベルト１０を掛けて、伸ばし、ゆっくり戻すトレーニングに適用できる。
【０１４４】
また、その他、図１１（Ａ）〜図１３（Ｂ）に示したような、種々のトレーニングに適用できる。なお、そのトレーニングの詳細については、図示で容易に理解できるので、その説明を省略する。
【０１４５】
さらに、このようなトレーニング以外に、図示しないが、例えば、椅子に着座した状態で、手と足との間に掛け渡して行うトレーニング、椅子に着座した状態で、両足のふくらはぎ、足首などに掛け渡して行うトレーニングなど、その他の様々なトレーニングに使用可能であって、何らトレーニング方法について限定されるものではない。
また、その他、スポーツ団体や、各種団体（クラブ活動など）の移動用バス内でのトレーニングなどに使用することができる。
（実施例２）
【０１４６】
図１５は、本発明のトレーニング用ベルト１０の別の実施例の部分分解上面図、図１６は、本発明のトレーニング用ベルト１０の別の実施例の雄形状係止部材５６の上面図である。
【０１４７】
この実施例のトレーニング用ベルト１０は、図１〜図１４に示した実施例のトレーニング用ベルト１０と基本的には同様な構成であり、同一の構成部材には、同一の参照番号を付して、その詳細な説明を省略する。
【０１４８】
図１５に示したように、この実施例のトレーニング用ベルト１０では、第１の係止部材２０が、スナップフィット型の雌形状係止部材５０から構成されている。そして、この雌形状係止部材５０には、後述する雄形状係止部材５６の雄形係合部５６ａが、脱着自在に係合する２つの雌型係合孔５０ａが形成されている。
【０１４９】
そして、雌形状係止部材５０のベルト部材１２側（第１のベルト部材１２ａの一方の端部１２ｃ側）には、ベルト部材１２を脱着自在に挿入係止する第１の挿入係合部材３４が備えられている。
【０１５０】
そして、第１の挿入係合部材３４には、ベルト部材１２ａを脱着自在に挿入係止するためのスリット３４ａを備えた第１のベルト係合穴３６が形成されている。
【０１５１】
このように構成することによって、雌形状係止部材５０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１５２】
一方、第２の係止部材３８が、雌形状係止部材５０に対応するスナップフィット型の雄形状係止部材５６から構成されている。そして、雄形状係止部材５６には、幅方向に屈曲自在な２つの雄形係合部５６ａが形成されている。
【０１５３】
また、雄形状係止部材５６のベルト部材１２側（第２のベルト部材１２ｂの他方の端部１２ｄ側）には、ベルト部材１２ｂを脱着自在に挿入係止する第２の挿入係合部材４２が備えられている。
【０１５４】
すなわち、雄形状係止部材５６には、ベルト５４が長さ調整自在に装着されており、ベルト５４のベルト部材１２側の端部に、第２の挿入係合部材４２が備えられており、ベルト５４は、雄形状係止部材５６に、図１５の矢印に示したように装着されるようになっている。
【０１５５】
また、ベルト５４のベルト部材１２側の端部に、第２の挿入係合部材４２が備えられている。
そして、第２の挿入係合部材４２には、ベルト部材を脱着自在に挿入係止するためのスリット４２ａを備えた第２のベルト係合穴４４が形成されている。
【０１５６】
これにより、雄形状係止部材５６のベルト部材１２側に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１５７】
このように構成することによって、スナップフィット型の雌形状係止部材５０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１５８】
また、スナップフィット型の雄形状係止部材５６のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１５９】
この状態で、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
【０１６０】
従って、スナップフィット型の雌形状係止部材５０と雄形状係止部材５６との係止位置を、すなわち、雄形状係止部材５６の長さ調整自在に装着されたベルト５４を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０１６１】
さらに、スナップフィット型の雌形状係止部材５０と雄形状係止部材５６との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０１６２】
また、スナップフィット型の雌形状係止部材５０と雄形状係止部材５６との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０１６３】
なお、この実施例では、雌形状係止部材５０において、ベルト部材１２ａを脱着自在に挿入係止するためのスリット３４ａを、第１の挿入係合部材３４に形成したが、図１６に示したように、雌形状係止部材５０自体に、スリット３４ａを形成することも可能である。
（実施例３）
【０１６４】
図１７は、本発明のトレーニング用ベルト１０の別の実施例の部分分解上面図である。
【０１６５】
この実施例のトレーニング用ベルト１０は、図１５〜図１６に示した実施例のトレーニング用ベルト１０と基本的には同様な構成であり、同一の構成部材には、同一の参照番号を付して、その詳細な説明を省略する。
【０１６６】
図１７に示したように、この実施例のトレーニング用ベルト１０では、雄形状係止部材５６には、ベルト５４が設けられておらず、雄形状係止部材５６のベルト部材１２側（第２のベルト部材１２ｂの他方の端部１２ｄ側）には、ベルト部材１２ｂを脱着自在に挿入係止する第２の挿入係合部材４２が一体的に備えられている。
また、第２の挿入係合部材４２のスリット４２ａは、雄形状係止部材５６の雄形係合部５６ａの間に形成されている。
【０１６７】
このように構成することによって、トレーニング用ベルト１０の長さは、調整できないが、スナップフィット型の雌形状係止部材５０と雄形状係止部材５６とを係止（雄形状係止部材５６の雄形係合部５６ａを、雌形状係止部材５０の雌型係合孔５０ａに脱着自在に係合する）することによって、輪形状になるように構成されている。
（実施例４）
【０１６８】
図１８は、本発明のトレーニング用ベルト１０の別の実施例の部分分解上面図である。
【０１６９】
この実施例のトレーニング用ベルト１０は、図１〜図１４に示した実施例のトレーニング用ベルト１０と基本的には同様な構成であり、同一の構成部材には、同一の参照番号を付して、その詳細な説明を省略する。
【０１７０】
図１８に示したように、この実施例のトレーニング用ベルト１０では、第１の係止部材２０が、開閉可能なリング型の第１のリング型係止部材６０から構成されている。すなわち、第１のリング型係止部材６０には、開閉可能な第１の開閉部材６２と、第１のリング穴６２ａが形成されている。
【０１７１】
そして、第１のリング型係止部材６０のベルト部材１２側（第１のベルト部材１２ａの一方の端部１２ｃ側）には、ベルト部材１２ａを脱着自在に挿入係止する第１の挿入係合部材３４が備えられている。
【０１７２】
そして、第１の挿入係合部材３４には、ベルト部材１２ａを脱着自在に挿入係止するためのスリット３４ａを備えた第１のベルト係合穴３６が形成されている。
【０１７３】
このように構成することによって、第１のリング型係止部材６０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１７４】
一方、第２の係止部材３８が、開閉可能なリング型の第２のリング型係止部材６４から構成されている。すなわち、第２のリング型係止部材６４には、開閉可能な第２の開閉部材６６と、第２のリング穴６６ａが形成されている。
【０１７５】
そして、第２のリング型係止部材６４のベルト部材１２側（第２のベルト部材１２ｂの他方の端部１２ｄ側）には、ベルト部材１２ｂを脱着自在に挿入係止する第２の挿入係合部材４２が備えられている。
【０１７６】
そして、第２の挿入係合部材４２には、ベルト部材を脱着自在に挿入係止するためのスリット４２ａを備えた第２のベルト係合穴４４が形成されている。
【０１７７】
これにより、第２のリング型係止部材６４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１７８】
そして、第１のリング型係止部材６０と第２のリング型係止部材６４とを係止することによって、輪形状になるように構成されている。
【０１７９】
このように構成することによって、開閉可能な第１のリング型係止部材６０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１８０】
また、開閉可能な第２のリング型係止部材６４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１８１】
この状態で、開閉可能なリング型の第１のリング型係止部材６０と第２のリング型係止部材６４とを係止することによって、輪形状になるように構成されている。
【０１８２】
従って、開閉可能なリング型の第１のリング型係止部材６０と第２のリング型係止部材６４との係止位置を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０１８３】
さらに、開閉可能なリング型の第１のリング型係止部材６０と第２のリング型係止部材６４との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０１８４】
また、開閉可能なリング型の第１のリング型係止部材６０と第２のリング型係止部材６４との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
（実施例５）
【０１８５】
図１９は、本発明のトレーニング用ベルト１０の別の実施例の部分分解上面図である。
【０１８６】
この実施例のトレーニング用ベルト１０は、図１８に示した実施例のトレーニング用ベルト１０と基本的には同様な構成であり、同一の構成部材には、同一の参照番号を付して、その詳細な説明を省略する。
【０１８７】
図１９に示したように、この実施例のトレーニング用ベルト１０では、第１の係止部材２０が、リング型の第１のリング型係止部材７０から構成されている。
【０１８８】
すなわち、第１のリング型係止部材７０には、２つの第１のリング部７２が形成されている。
【０１８９】
そして、第１のリング型係止部材７０のベルト部材１２側（第１のベルト部材１２ａの一方の端部１２ｃ側）には、ベルト部材１２ａを脱着自在に挿入係止する第１の挿入係合部材３４が備えられている。
【０１９０】
そして、第１の挿入係合部材３４には、ベルト部材１２ａを脱着自在に挿入係止するためのスリット３４ａを備えた第１のベルト係合穴３６が形成されている。なお、この場合、スリット３４ａは、図１９に示したように、第１のリング部７２の間の離間部分に形成されている。
【０１９１】
このように構成することによって、第１のリング型係止部材６０のベルト部材１２側に備えられた、第１の挿入係合部材３４のスリット３４ａを介して、第１の挿入係合部材３４の第１のベルト係合穴３６に、ベルト部材１２を脱着自在に挿入係止することができるように構成されている。
【０１９２】
一方、第２の係止部材３８が、第１のリング型係止部材７０の第１のリング部７２に嵌着するリング型の第２のリング型係止部材７４から構成されている。すなわち、第２のリング型係止部材７４には、２つの第２のリング部７６が形成されている。
【０１９３】
そして、第２のリング型係止部材７４のベルト部材１２側（第２のベルト部材１２ｂの他方の端部１２ｄ側）には、ベルト部材１２ｂを脱着自在に挿入係止する第２の挿入係合部材４２が備えられている。
【０１９４】
そして、第２の挿入係合部材４２には、ベルト部材を脱着自在に挿入係止するためのスリット４２ａを備えた第２のベルト係合穴４４が形成されている。なお、この場合、スリット４２ａは、図１９に示したように、第２のリング型係止部材７４の間の離間部分に形成されている。
【０１９５】
これにより、第２のリング型係止部材７４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができるように構成されている。
【０１９６】
そして、第１のリング型係止部材７０と第２のリング型係止部材７４とを係止（第１のリング部７２に、第２のリング部７６を知恵の輪的に嵌着して係合）することによって、輪形状になるように構成されている。
【０１９７】
このように構成することによって、第１のリング型係止部材７０のベルト部材１２側（第１のベルト部材１２ａの一方の端部１２ｃ側）に備えられた、第１の挿入係合部材３４のスリット３４ａを介して、第１の挿入係合部材３４の第１のベルト係合穴３６に、ベルト部材１２を脱着自在に挿入係止することができる。
【０１９８】
また、第２のリング型係止部材７４のベルト部材１２側（第２のベルト部材１２ｂの他方の端部１２ｄ側）に備えられた、第２の挿入係合部材４２のスリット４２ａを介して、ベルト部材１２ｂを第２の挿入係合部材４２の第２のベルト係合穴４４に、ベルト部材１２ｂを脱着自在に挿入係止することができる。
【０１９９】
この状態で、リング型の第１のリング型係止部材７０と第２のリング型係止部材７４とを係止することによって、輪形状になるように構成されている。
【０２００】
従って、リング型の第１のリング型係止部材７０と第２のリング型係止部材７４との係止位置を調整することによって、例えば、使用目的、使用部位、トレーニング方法、トレーニング強度、ループの強さ（負荷）など応じて、様々な長さのループバンドとして、簡単に使用可能なトレーニング用ベルト１０を提供することができる。
【０２０１】
さらに、リング型の第１のリング型係止部材７０と第２のリング型係止部材７４との係止位置を調整することによって、従来のループバンドのように、足の運動、膝の運動などのトレーニングに使用する際に、椅子に座ったり、屈んだ状態で、ループ内に両足を入れて使用する必要がなく、ベルトとして使用でき、便利であるとともに、狭い場所でも使用可能なトレーニング用ベルト１０を提供することができる。
【０２０２】
また、リング型の第１のリング型係止部材７０と第２のリング型係止部材７４との係止位置を調整することによって、例えば、椅子に座っての仕事、勉強などの最中のトレーニング、自宅の椅子、ソファーに座ってのテレビ、ビデオなどを見ながらのトレーニング、自動車の助手席や後部座席、観光バス、飛行機、船舶、電車での移動時におけるトレーニング、布団やベットの上でのトレーニングにも好適なトレーニング用ベルト１０を提供することができる。
【０２０３】
以上、本発明の好ましい実施の態様を説明してきたが、本発明はこれに限定されることはなく、本発明のトレーニング用ベルト１０は、本発明の目的を逸脱しない範囲で種々の変更が可能である。
【産業上の利用可能性】
【０２０４】
本発明は、例えば、エクササイズ、美容、腰痛改善などの健康、歩行障害などのリハビリ、運動不足の解消、手足、足腰、認知症の予防、背筋、胸筋など強化によるスポーツトレーニング、ボディービルなど、その他の分野における種々のトレーニングに使用する、例えば、ゴムなどの伸縮自在なベルトから構成されるトレーニング用ベルトに適用することができる。
【符号の説明】
【０２０５】
１０    トレーニング用ベルト
１１    面ファスナー
１２    ベルト部材
１２ａ    第１のベルト部材
１２ｂ    第２のベルト部材
１２ｃ    一方の端部
１２ｄ    他方の端部
１４    中間係止部材
１４ａ    係止バー本体
１４ｂ    延設部
１４ｃ    第１の係止バー部材
１４ｄ    第２の係止バー部材
１６ａ    第１の係止穴
１６ｂ    第２の係止穴
１８ａ    第１のスリット
１８ｂ    第２のスリット
２０    第１の係止部材
２２    バックル型係止部材
２２ａ    確認部
２４    バックル本体
２６    ヒンジ
２８    バックル開閉部材
２８ａ    突設係止部
３０ａ、３０ｂ    第１の突設係止部
３２ａ、３２ｂ    第２の突設係止部
３４    第１の挿入係合部材
３４ａ    スリット
３６    第１のベルト係合穴
３８    第２の係止部材
４０    ベルト型係止部材
４０ａ    凹凸
４０ｂ    凹凸
４２    第２の挿入係合部材
４２ａ    スリット
４４    第２のベルト係合穴
５０    雌形状係止部材
５０ａ    雌型係合孔
５４    ベルト
５６    雄形状係止部材
５６ａ    雄形係合部
６０    第１のリング型係止部材
６２    第１の開閉部材
６２ａ    第１のリング穴
６４    第２のリング型係止部材
６６    第２の開閉部材
６６ａ    第２のリング穴
７０    第１のリング型係止部材
７２    第１のリング部
７４    第２のリング型係止部材
７６    第２のリング部
１００    トレーニングツール
１０２    第１の伸縮性部材
１０４    第２の伸縮性部材
１０６    ループ
１０８    接合部
Ａ、Ｂ    矢印
Ｄ    両足
Ｅ、Ｆ    矢印
【図１】
2020028460.tif 000003
【図２】
2020028460.tif 000004
【図３】
2020028460.tif 000005
【図４】
2020028460.tif 000006
【図５】
2020028460.tif 000007
【図６】
2020028460.tif 000008
【図７】
2020028460.tif 000009
【図８】
2020028460.tif 000010
【図９】
2020028460.tif 000011
【図１０】
2020028460.tif 000012
【図１１】
2020028460.tif 000013
【図１２】
2020028460.tif 000014
【図１３】
2020028460.tif 000015
【図１４】
2020028460.tif 000016
【図１５】
2020028460.tif 000017
【図１６】
2020028460.tif 000018
【図１７】
2020028460.tif 000019
【図１８】
2020028460.tif 000020
【図１９】
2020028460.tif 000021
【図２０】
2020028460.tif 000022
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
伸縮自在なベルトから構成されるトレーニング用ベルトであって、
複数の輪形状の伸縮自在なベルト部材と、
前記複数のベルト部材同士を、脱着自在に連結する中間係止部材と、
前記中間係止部材で連結されたベルト部材の一方の端部に、脱着自在に連結される第１の係止部材と、
前記中間係止部材で連結されたベルト部材の他方の端部に、脱着自在に連結される第２の係止部材とを備え、
前記第１の係止部材と第２の係止部材とを係止することによって、輪形状になるように構成したことを特徴とするトレーニング用ベルト。
【請求項２】
前記中間係止部材が、
前記中間係止部材の中央部分に形成された係止バー本体と、
前記係止バー本体から一定間隔離間するようにそれぞれ延設され、前記係止バー本体とそれぞれ平行に配置された、第１の係止バー部材と第２の係止バー部材を備え、
前記係止バー本体と第１の係止バー部材とに囲まれた部分に、第１の係止穴が形成され、
前記第１の係止穴には、前記複数のベルト部材の一方の端部のベルト部材を脱着自在に挿入係合するための第１のスリットが形成され、
前記係止バー本体と第２の係止バー部材とに囲まれた部分に、第２の係止穴が形成され、
前記第２の係止穴には、前記複数のベルト部材の他方の端部のベルト部材を脱着自在に挿入係合するための第２のスリットが形成されていることを特徴とする請求項１に記載のトレーニング用ベルト。
【請求項３】
前記第１の係止バー部材の長さと、前記第２の係止バー部材の長さが相違するように形成されていることを特徴とする請求項２に記載のトレーニング用ベルト。
【請求項４】
前記第１の係止部材が、バックル型のバックル型係止部材から構成され、
前記バックル型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、ベルト形状のベルト型係止部材から構成され、
前記ベルト型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記バックル型係止部材とベルト型係止部材とを係止することによって、輪形状になるように構成したことを特徴とする請求項１から３のいずれかに記載のトレーニング用ベルト。
【請求項５】
前記第１の係止部材の前記バックル型係止部材の表面には、裏表を確認できる確認部が形成されていることを特徴とする請求項４に記載のトレーニング用ベルト。
【請求項６】
前記第２の係止部材のベルト型係止部材には、凹凸が形成されていることを特徴とする請求項４から５のいずれかに記載のトレーニング用ベルト。
【請求項７】
前記第１の係止部材が、スナップフィット型の雌形状係止部材から構成され、
前記雌形状係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、前記雌形状係止部材に対応するスナップフィット型の雄形状係止部材から構成され、
前記雄形状係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記雌形状係止部材と雄形状係止部材とを係止することによって、輪形状になるように構成したことを特徴とする請求項１から３のいずれかに記載のトレーニング用ベルト。
【請求項８】
前記第１の係止部材が、開閉可能なリング型の第１のリング型係止部材から構成され、
前記第１のリング型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、開閉可能なリング型の第２のリング型係止部材から構成され、
前記第２のリング型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記第１のリング型係止部材と第２のリング型係止部材とを係止することによって、輪形状になるように構成したことを特徴とする請求項１から３のいずれかに記載のトレーニング用ベルト。
【請求項９】
前記第１の係止部材の第１の挿入係合部材が、前記中間係止部材から構成されていることを特徴とする請求項４から８のいずれかに記載のトレーニング用ベルト。
【請求項１０】
前記第２の係止部材の第２の挿入係合部材が、前記中間係止部材から構成されていることを特徴とする請求項４から９のいずれかに記載のトレーニング用ベルト。
【手続補正２】
【補正対象書類名】明細書
【補正対象項目名】００５３
【補正方法】変更
【補正の内容】
【００５３】
また、本発明のトレーニング用ベルトは、
前記第１の係止部材が、開閉可能なリング型の第１のリング型係止部材から構成され、
前記第１のリング型係止部材のベルト部材側には、ベルト部材を脱着自在に挿入係止する第１の挿入係合部材が備えられ、
前記第１の挿入係合部材には、ベルト部材を脱着自在に挿入係止するためのスリットを備えた第１のベルト係合穴が形成され、
前記第２の係止部材が、開閉可能なリング型の第２のリング型係止部材から構成され、
前記第２のリング型係止部材のベルト部材側には、ベルト部材を脱着自在に挿入係止する第２の挿入係合部材が備えられ、
前記第２の挿入係合部材には、ベルト部材を脱着自在に挿入係止するためのスリットを備えた第２のベルト係合穴が形成され、
前記第１のリング型係止部材と第２のリング型係止部材とを係止することによって、輪形状になるように構成したことを特徴とする。